(57)【要約】【課題】  ある特定の網しか提供していないサービスがある場合であっても、ユーザが容易に当該サービスを享受することを可能にする。【解決手段】  本発明は、移動通信網と固定通信網とで利用できるサービスが異なる場合に、ユーザから電源が投入されると、履歴情報記憶手段を参照して、固定通信網または移動通信網のいずれのサービス利用頻度が高いか判定し、利用頻度が高い方の通信網に切り替える。ユーザからサービス要求が入力されると、該サービス要求に基づいて、サービスメニュー記憶手段を参照し、要求されたサービスが現在利用している通信網で利用可能かを判定し、現在利用している通信網で前記要求サービスが利用可能でない場合は、該要求サービスを利用可能な通信網に切り替える。【選択図】  図２
2012044624.tif 000002
【特許請求の範囲】
【請求項１】
移動通信網と固定通信網とで利用できるサービスが異なる場合に、２つ以上の通信網に接続する機能を有するユーザ端末装置であって、
サービス毎に、少なくとも、当該サービスを利用した通信網種別、及び最終利用日時を履歴情報として格納する履歴記憶手段と、
通信網毎に利用可能なサービスメニューを格納するサービスメニュー記憶手段と、
ユーザからの電源投入及びサービス要求を受け付ける入力手段と、
電源投入された時点において、前記履歴情報記憶手段の情報を利用して、通信網を選択する第１の判定手段と、
前記サービス要求が入力された時点で、前記サービスメニュー記憶手段を参照し、要求されたサービスが現在利用している通信網で利用可能かを判定する第２の判定手段と、
前記第１の判定手段で選択された通信網に切り替える第１の網切替手段と、
前記第２の判定手段で利用可能であると判定された場合には、それまで利用していた通信網に接続し、利用可能でないと判定された場合は、前記サービスメニュー記憶手段を参照して、前記要求されたサービスを利用可能な通信網に切り替える第２の網切替手段と、
を有することを特徴とするユーザ端末装置。
【請求項２】
前記第１の判定手段は、
電源投入時に、前記履歴情報記憶手段を参照して、現在時刻に直近の時刻で利用された通信網を選択する手段を含む
請求項１記載のユーザ端末装置。
【請求項３】
前記履歴記憶手段は、サービス毎の利用回数を更に格納し、
前記第１の判定手段は、
電源投入時に、前記履歴記憶手段を参照して、固定通信網または移動通信網のいずれのサービス利用頻度が高いか判定する手段を含み、
前記第１の網切替手段は、
前記第１の判定手段で判定された結果、利用頻度高い方の通信網に切り替える手段を含む請求項１記載のユーザ端末装置。
【請求項４】
暗号化による通信が求められる通信網でのみサービスが提供される場合に、
前記第１の判定手段は、
電源投入時に、前記履歴情報記憶手段を参照し、前記固定通信網の利用頻度が前記移動通信網の頻度より低い場合に、該履歴情報記憶手段を参照し、RCS(Rich communication Suite )サービスの利用頻度が前記固定通信網の利用頻度より高いか否かを判定する手段を含み、
前記第１の網切替手段は、
前記第１の判定手段において、前記RCSサービスの利用頻度が前記固定通信網の利用頻度より高いと判定された場合は、IPSecトンネルを利用して前記移動通信網に接続し、該RCSサービスの利用頻度が該固定通信網の利用頻度より低いと判定された場合は、該固定通信網に接続する手段を含む
請求項３記載のユーザ端末装置。
【請求項５】
前記サービス要求が入力された時点で前記移動通信網に接続している場合に、
前記第２の判定手段は、
入力されたサービスが要求する速度が自端末の処理能力を超えているかを判定する手段を含み、
前記第２の網切替手段は、
前記判定手段で処理能力が超えている場合には、固定通信網に切り替える手段を含む
請求項１記載のユーザ端末装置。
【請求項６】
移動通信網と固定通信網とで利用できるサービスが異なる場合に、２つ以上の通信網に接続する機能を有するユーザ端末装置において、所望のサービスを享受するための通信網を選択する接続先選択方法であって、
前記ユーザ端末装置は、
サービス毎に、少なくとも、当該サービスを利用した通信網種別、及び最終利用日時を履歴情報として格納する履歴記憶手段と、
通信網毎に利用可能なサービスメニューを格納するサービスメニュー記憶手段と、
を有し、
ユーザにより電源が投入されると、前記履歴情報記憶手段の情報を利用して通信網を選択する第１の判定ステップと、
前記第１の判定ステップで選択された通信網に切り替える第１の網切替ステップと、
前記ユーザからサービス要求が入力されると、該サービス要求に基づいて、前記サービスメニュー記憶手段を参照し、要求されたサービスが現在利用している通信網で利用可能かを判定する第２の判定ステップと、
前記第２の判定ステップで、現在利用している通信網で前記要求サービスが利用可能でない場合は、該要求サービスを利用可能な通信網に切り替える第２の網切替ステップと、
を行うことを特徴とする接続先選択方法。
【請求項７】
前記第１の判定ステップにおいて、
前記履歴情報記憶手段の前記最終利用日時を参照して、現在時刻に直近の時刻で利用された通信網を選択する
請求項６記載の接続先選択方法。
【請求項８】
前記履歴記憶手段に、サービス毎の利用回数が更に格納されている場合に、
前記第１の判定ステップにおいて、
ユーザからの電源投入時に、前記履歴情報記憶手段の前記サービス毎の利用回数を参照して、固定通信網または移動通信網のいずれのサービス利用頻度が高いか判定し、
前記第１の網切替ステップにおいて、
前記第１の判定ステップにおいて利用頻度が高い方の通信網に切り替える
請求項６記載の接続先選択方法。
【請求項９】
暗号化による通信が求められる通信網でのみサービスが提供される場合に、
前記第１の判定ステップにおいて、
ユーザからの電源投入時に、前記履歴情報記憶手段を参照し、前記固定通信網の利用頻度が前記移動通信網の頻度より低い場合に、該履歴情報記憶手段を参照し、RCS(Rich communication Suite )サービスの利用頻度が前記固定通信網の利用頻度より高いか否かを判定し、
前記第１の切替ステップにおいて、
前記RCSサービスの利用頻度が前記固定通信網の利用頻度より高い場合は、IPSecトンネルを利用して前記移動通信網に接続し、該RCSサービスの利用頻度が該固定通信網の利用頻度より低い場合は、該固定通信網に接続する
請求項８記載の接続先選択方法。
【請求項１０】
前記サービス要求が入力された時点で前記移動通信網に接続している場合に、
前記第２の判定ステップにおいて、
入力されたサービスが要求する速度が自端末の処理能力を超えているかを判定し、
前記第２の網切替ステップにおいて、
処理能力が超えている場合には、固定通信網に切り替える
請求項６記載の接続先選択方法。
【発明の詳細な説明】
【技術分野】
【０００１】
本発明は、ユーザ端末装置及び接続先選択方法に係り、特に、端末が接続する経路や相手を選択するための接続先選択方法及び装置に関する。詳しくは、移動通信網と固定通信網とで利用できるサービスが異なる場合に、ユーザが利用したいサービスを提供している通信網へ接続するためのユーザ端末装置及び接続先選択方法に関する。
【背景技術】
【０００２】
音声以外のプレゼンス・コンテンツ共有・チャットといったリッチコミュニケーションサービス（以下、「RCSサービス」と記す）ための技術としてGSMA RCS ProjectによるRCS(Rich communication Suite )が存在する。RCSは本来携帯網を想定しているが、後に固定通信網に接続された端末からの接続対象になっている。この方法は、移動通信網でサービスを提供することを前提に固定端末から移動通信網へIPSecトンネルを固定的に確立して、移動通信網のサービスを提供する（例えば、非特許文献1参照）。
【先行技術文献】
【非特許文献】
【０００３】
【非特許文献１】"Rich communication suite Release 2 Technical Realization" http://www.gsmvorld.com/documents/TecnicalRealization_v1.1(1).pdf
【発明の概要】
【発明が解決しようとする課題】
【０００４】
上記の従来技術（非特許文献１）では、固定端末からアクセスする場合に、移動通信網内にあるPDG(Packet Data Gateway)との間にIPSecトンネルを設定し、移動通信網内のセッション制御装置を利用する形式となっている。しかしながら、この方式では、固定通信網によりサービスを提供できる場合でも端末は固定通信網のセッション制御装置とは通信できない。そのため、固定通信網が独自のサービスを提供している場合に、固定通信網のそのサービスを利用できないという問題がある（課題１）。
【０００５】
また、上記の非特許文献1の方法によらず、固定通信網から固定通信網に設置されたセッション制御装置を利用するという方式も考えられる。しかしながら、この場合PDG経由で移動通信網のセッション制御装置に接続できないため、非特許文献1の方式では可能であった移動通信網特有の機能やサービスを利用できないという問題が生じる（課題２）。
【０００６】
本発明は、上記の点に鑑みなされたもので、ある特定の通信網でのみ提供可能なサービスをユーザが容易に享受することが可能なユーザ端末装置及び接続先選択方法を提供することを目的とする。
【課題を解決するための手段】
【０００７】
上記の課題を解決するため、本発明（請求項１）は、移動通信網と固定通信網とで利用できるサービスが異なる場合に、２つ以上の通信網に接続する機能を有するユーザ端末装置であって、
サービス毎に、少なくとも、当該サービスを利用した通信網種別、及び最終利用日時を履歴情報として格納する履歴記憶手段と、
通信網毎に利用可能なサービスメニューを格納するサービスメニュー記憶手段と、
ユーザからの電源投入及びサービス要求を受け付ける入力手段と、
電源投入された時点において、前記履歴情報記憶手段の情報を利用して、通信網を選択する第１の判定手段と、
前記サービス要求が入力された時点で、前記サービスメニュー記憶手段を参照し、要求されたサービスが現在利用している通信網で利用可能かを判定する第２の判定手段と、
前記第１の判定手段で選択された通信網に切り替える第１の網切替手段と、
前記第２の判定手段で利用可能であると判定された場合には、それまで利用していた通信網に接続し、利用可能でないと判定された場合は、前記サービスメニュー記憶手段を参照して、前記要求されたサービスを利用可能な通信網に切り替える第２の網切替手段と、
を有することを特徴とする。
【０００８】
また、本発明（請求項２）は、前記第１の判定手段に、電源投入時に、前記履歴情報記憶手段を参照して、現在時刻に直近の時刻で利用された通信網を選択する手段を含む。
【０００９】
また、本発明（請求項３）は、前記履歴記憶手段は、サービス毎の利用回数を更に格納し、
前記第１の判定手段に、
電源投入時に、前記履歴記憶手段を参照して、固定通信網または移動通信網のいずれのサービス利用頻度が高いか判定する手段を含み、
前記第１の網切替手段に、
前記第１の判定手段で判定された結果、利用頻度高い方の通信網に切り替える手段を含む。
【００１０】
また、本発明（請求項４）は、暗号化による通信が求められる通信網でのみサービスが提供される場合に、
前記第１の判定手段に、
電源投入時に、前記履歴情報記憶手段を参照し、前記固定通信網の利用頻度が前記移動通信網の頻度より低い場合に、該履歴情報記憶手段を参照し、RCS(Rich communication Suite )サービスの利用頻度が前記固定通信網の利用頻度より高いか否かを判定する手段を含み、
前記第１の網切替手段に、
前記第１の判定手段において、前記RCSサービスの利用頻度が前記固定通信網の利用頻度より高いと判定された場合は、IPSecトンネルを利用して前記移動通信網に接続し、該RCSサービスの利用頻度が該固定通信網の利用頻度より低いと判定された場合は、該固定通信網に接続する手段を含む。
【００１１】
また、本発明（請求項５）は、前記サービス要求が入力された時点で前記移動通信網に接続している場合に、
前記第２の判定手段に、
入力されたサービスが要求する速度が自端末の処理能力を超えているかを判定する手段を含み、
前記第２の網切替手段に、
前記判定手段で処理能力が超えている場合には、固定通信網に切り替える手段を含む。
【００１２】
また、本発明（請求項６）は、移動通信網と固定通信網とで利用できるサービスが異なる場合に、２つ以上の通信網に接続する機能を有するユーザ端末装置において、所望のサービスを享受するための通信網を選択する接続先選択方法であって、
前記ユーザ端末装置は、
サービス毎に、少なくとも、当該サービスを利用した通信網種別、及び最終利用日時を履歴情報として格納する履歴記憶手段と、
通信網毎に利用可能なサービスメニューを格納するサービスメニュー記憶手段と、
を有し、
ユーザにより電源が投入されると、前記履歴情報記憶手段の情報を利用して通信網を選択する第１の判定ステップと、
前記第１の判定ステップで選択された通信網に切り替える第１の網切替ステップと、
前記ユーザからサービス要求が入力されると、該サービス要求に基づいて、前記サービスメニュー記憶手段を参照し、要求されたサービスが現在利用している通信網で利用可能かを判定する第２の判定ステップと、
前記第２の判定ステップで、現在利用している通信網で前記要求サービスが利用可能でない場合は、該要求サービスを利用可能な通信網に切り替える第２の網切替ステップと、
を行う。
【００１３】
また、本発明（請求項７）は、前記第１の判定ステップにおいて、
前記履歴情報記憶手段の前記最終利用日時を参照して、現在時刻に直近の時刻で利用された通信網を選択する。
【００１４】
また、本発明（請求項８）は、前記履歴記憶手段に、サービス毎の利用回数が更に格納されている場合に、
前記第１の判定ステップにおいて、
ユーザからの電源投入時に、前記履歴情報記憶手段の前記サービス毎の利用回数を参照して、固定通信網または移動通信網のいずれのサービス利用頻度が高いか判定し、
前記第１の網切替ステップにおいて、
前記第１の判定ステップにおいて利用頻度が高い方の通信網に切り替える。
【００１５】
また、本発明（請求項９）は、暗号化による通信が求められる通信網でのみサービスが提供される場合に、
前記第１の判定ステップにおいて、
ユーザからの電源投入時に、前記履歴情報記憶手段を参照し、前記固定通信網の利用頻度が前記移動通信網の頻度より低い場合に、該履歴情報記憶手段を参照し、RCS(Rich communication Suite )サービスの利用頻度が前記固定通信網の利用頻度より高いか否かを判定し、
前記第１の切替ステップにおいて、
前記RCSサービスの利用頻度が前記固定通信網の利用頻度より高い場合は、IPSecトンネルを利用して前記移動通信網に接続し、該RCSサービスの利用頻度が該固定通信網の利用頻度より低い場合は、該固定通信網に接続する。
【００１６】
また、本発明（請求項１０）は、前記サービス要求が入力された時点で前記移動通信網に接続している場合に、
前記第２の判定ステップにおいて、
入力されたサービスが要求する速度が自端末の処理能力を超えているかを判定し、
前記第２の網切替ステップにおいて、
処理能力が超えている場合には、固定通信網に切り替える。
【発明の効果】
【００１７】
上述のように、本発明によれば、電源オン時にユーザがこれまで利用してきたサービスに従い、接続するネットワークを選択することにより、ある特定の通信網しか提供していないサービスがある場合に、当該サービスをユーザが享受することができるようになる。
【００１８】
また、ユーザがその起動を指示するようなサービスにおいて、当該通信網でそのサービスを提供していない場合にも接続先を変更することにより、当該サービスを享受することが可能となる。
【図面の簡単な説明】
【００１９】
【図１】本発明を適用するネットワーク構成図である。
【図２】本発明の第１の実施の形態における固定端末の構成図である。
【図３】本発明の第１の実施の形態における履歴記憶部の例である。
【図４】本発明の第１の実施の形態における電源がオン状態となったときの動作のフローチャートである。
【図５】本発明の第１の実施の形態におけるサービス開始時の動作のフローチャートである。
【図６】本発明の第２の実施の形態における履歴記憶部の例である。
【図７】本発明の第２の実施の形態における電源がオン状態となったときの動作のフローチャートである。
【図８】本発明の第２の実施の形態におけるサービス開始時の動作のフローチャートである。
【発明を実施するための形態】
【００２０】
以下図面と共に、本発明の実施の形態を説明する。
【００２１】
［第１の実施の形態］
図１は、本発明を適用するネットワークの構成を示す。
【００２２】
本発明のネットワークには、固定通信網１、移動通信網２、固定通信網１及び移動通信網２に接続可能な固定端末１００と、固定通信網のセッション制御装置２００、移動通信網のセッション制御装置（ＣＳＣＦ）３００、移動通信網２のPDG４００が設けられており、固定端末１００からアクセスする場合に、移動通信網２内にあるPDG４００との間にIPSecトンネル２１０が設定されている。また、固定通信網１及び移動通信網２にはそれぞれIMS(IP Multimedia Subsystem)が存在する。但し、１つのセッション制御装置を共有する場合もある。
【００２３】
固定端末１００は、電源投入時には事前に決められた条件に従い接続先を選択し、また、ユーザから明示的なサービス開始要求があった場合は、開始したサービスからの要求条件により電源オン時に選択した接続先のＣＳＣＦを変更する機能を有する。
【００２４】
図２は、本発明の第１の実施の形態における固定端末の構成を示す。
【００２５】
固定端末１００は、電源１１０、ユーザインタフェース（Ｉ／Ｆ）１２０、判定部１３０、履歴記憶部１４０、メニューファイル１４５、切り替え部１５０から構成される。
【００２６】
ここで、履歴記憶部１４０、メニューファイル１４５は、メモリまたはディスク装置等の記憶媒体である。履歴記憶部１４０には図３に示すように、利用サービス名、利用ネットワーク、利用日時が格納されている。なお、履歴記憶部１４０には利用したサービス毎に履歴が蓄積されていくため、保存領域が不足する場合には、利用日時が古いものから破棄する、または、一定期間よりも前の利用履歴について破棄すること等が考えられる。
【００２７】
また、メニューファイル１４５は、サービス名と通信網の種別を格納したファイルである。
【００２８】
以下に、電源投入時の動作とユーザによりサービス開始された場合の固定端末１００の動作について説明する。
【００２９】
図３に示す履歴記憶部１４０を用いる場合を説明する。
【００３０】
ユーザにより電源が投入されると、判定部１４０は、履歴記憶部１４０を参照して、固定通信網、または、移動通信網のうち、最も利用日時が直近の通信網を選択し、切替部１５０は、選択された通信網に切替て接続する。この場合、図３の例では、項番２の「移動通信網」を選択する。
【００３１】
次に、ユーザからユーザＩ／Ｆ１２０を介してサービス要求が入力された場合の動作を示す。
【００３２】
図４は、本発明の第１の実施の形態におけるサービス開始時の動作のフローチャートである。
【００３３】
ユーザによりユーザＩ／Ｆ１２０を介してサービス開始が指示されると、判定部１３０は、メニューファイル１４５を参照して、ユーザから指定されたサービスが現在利用している通信網で利用可能かを判定し、利用可能な場合は（ステップ１０１、Ｙ）、切替部１５０は通信網の切替は行わない。一方、利用できない場合は（ステップ１０１、Ｎ）、切替部１５０は、ユーザから指定されたサービスが利用可能な通信網に切り替える（ステップ１０２）。
【００３４】
例えば、現在、固定通信網を利用していた場合に、ユーザから「サービスＢ」が指定された場合には、当該「サービスＢ」が固定通信網、移動通信網のいずれで提供されているかをメニューファイル１４５を参照して決定する。これは、ユーザがサービス開始を指示した場合に、指示したサービスが一方の通信網でのみ利用可能な場合であり、現在接続している通信網に関わらず指定されたサービスを利用可能な通信網に接続するものである。
【００３５】
次に、履歴記憶部に格納される履歴情報にサービス毎の利用回数を含む場合について説明する。図５に、サービス毎に利用回数を含めた履歴情報を格納する履歴記憶部の例を示す。
【００３６】
同図に示すように、履歴記憶部１４０は、利用サービス、利用ネットワーク種別、これまでの利用回数、最終利用日時が格納されている。利用回数は、サービスを利用する毎に当該サービス名（サービスID）に対応する「これまでの利用回数」の項目をカウントアップして更新する。
【００３７】
図５に示す履歴情報を用いた場合の電源投入時の動作を以下に示す。
【００３８】
図６は、本発明の第１の実施の形態における電源がオン状態となったときの動作のフローチャートである。
【００３９】
電源１１０がオン状態となると、判定部１３０は、履歴記憶部１４０を参照し（ステップ２０１）、これまでの履歴で固定通信網特有のサービス利用頻度が多いかを判定し、切替部１５０は、固定通信網の利用頻度の方が多い場合には（ステップ２０２、Ｙ）、固定通信網側のIMSに接続することを選択する（ステップ２０３）。一方、移動通信網の利用頻度の方が多い場合には（ステップ２０２、Ｎ）、移動通信網側のIMSに接続することを選択する（ステップ２０４）。例えば、図５に示す履歴記憶部１４０の場合は、利用回数の多いネットワークは固定通信網であるので、切替部１５０は固定通信網１に切り替える。
【００４０】
また、上記の履歴記憶部１４０の他に、通信相手のユーザIDと当該通信相手の通信網の種別を当該固定端末１００内の通信先登録ファイル（図示せず）に登録しておき、履歴記憶部１４０の代わりに、通信先ユーザIDに基づいて通信先登録ファイルを参照して、当該通信先IDに対応する通信網に接続することも可能である。
【００４１】
また、上記の履歴記憶部１４０の情報と通信先登録ファイルの情報をマージして格納しておき、当該固定端末１００がこれまで利用したサービスに応じて通信先として登録されている端末（ユーザID）または、通信網に応じて接続先を選択することも可能である。
【００４２】
さらに、ｉ∈固定通信網でのみ利用可能な通信網の項番とし、
【００４３】
【数１】
2012044624.tif 000003
を求め、ｊ∈移動通信網でのみ利用可能な通信網の項番とし、
【００４４】
【数２】
2012044624.tif 000004
を求め、値が大きい方を選択する。但し、n(i)，n(j)は利用回数、α（k）は最終利用日時が直近から数えてｋ番目のサービスに対する重み計数とする。但し、α(k)≧α（k+1）とする。
【００４５】
なお、上記の例では、通信網が２つの場合を示したが、通信網が３つ以上存在する場合には、予め設定された優先度に従い接続先の通信網を決定することも可能である。
【００４６】
［第２の実施の形態］
本実施の形態では、一方の通信網（移動通信網）において暗号化することが必須である場合の例を示す。
【００４７】
図７は、本発明の第２の実施の形態における電源がオン状態となったときの動作のフローチャートである。同図の例では、移動通信網２において暗号化を行うことが必須であるという条件があるものとする。
【００４８】
電源１１０がオン状態となると、判定部１３０は、図５に示す履歴記憶部１４０を参照して、当該ユーザが固定通信網と移動通信網のどちらを利用する頻度が高いかを判定し、固定通信網を利用する頻度が高い場合は（ステップ３０１、Ｙ）、IPsecトンネル２１０を利用せずに固定通信網１側のIMSに接続することを選択する（ステップ３０４）。移動通信網２を利用する頻度の方が高い場合は（ステップ３０１、Ｎ）、履歴記憶部１４０を参照して、これまでRCSサービスを利用したユーザが、固定通信網１、移動通信網２のいずれの利用頻度が高いかを判定し、固定通信網１の方が多い場合には（ステップ３０２、Y)、上記のステップ３０４と同様の処理を行う。一方、移動通信網２の方が多い場合には（ステップ３０２、N）、IPsecトンネル２１０を利用して移動通信網２側のIMSに接続することを選択する（ステップ３０３）。
【００４９】
図６に示すような履歴情報が格納されている場合、上記以外の通信網の選択方法として、暗号化を行って送受信する速度よりも必要な帯域が大きい場合には、暗号化が不要な通信網（固定通信網）を選択する。
【００５０】
［第３の実施の形態］
本実施の形態では、固定端末の能力に応じて接続先を選択する場合について説明する。
【００５１】
本実施の形態におけるユーザ端末装置の構成は前述の実施の形態と同様である。
【００５２】
図８は、本発明の第３の実施の形態におけるサービス開始時の動作のフローチャートである。以下の処理の前提として自固定端末の処理速度等の能力情報を取得可能であるものとする。
【００５３】
ユーザからユーザI/F１２０を介してサービス要求が入力されると、判定部１４０は、当該サービスが要求する速度が自端末との能力を超えているかを判定し、超えている場合で（ステップ４０１、Y）、かつ、現在移動通信網に接続している場合には、切替部１５０は固定通信網に切り替える（ステップ４０３）。サービスの速度が自端末の能力を超えていない場合は（ステップ４０１、N）、要求されたサービスが、例えば、固定通信網における帯域保証等の固定通信網特有のメカニズムを利用するものであるかを判定し、利用するものであれば（ステップ４０２、Y）、上記と同様に切替部１５０は、固定通信網に切り替える（ステップ４０３）。
【００５４】
一方、要求されたサービスの速度が自端末の能力を超えておらず（ステップ４０１、N）、かつ、固定通信網特有のメカニズムを利用しないサービスである場合（ステップ４０２、N）、電源投入時のままサービスを開始する（ステップ４０４）。
【００５５】
上記の図２に示す実施の形態における固定端末の構成要素における動作をプログラムとして構築し、固定通信網及び移動通信網に接続可能な固定端末として利用されるコンピュータにインストールする、または、ネットワークを介して流通させることが可能である。
【００５６】
また、構築されたプログラムをハードディスクや、フレキシブルディスク、ＣＤ−ＲＯＭ等の可搬記憶媒体に格納し、コンピュータにインストールする、または、ネットワークを介して流通させることが可能である。
【００５７】
なお、本発明は、上記の実施の形態に限定されることなく、特許請求の範囲内において種々変更・応用が可能である。
【符号の説明】
【００５８】
１  固定通信網
２  移動通信網
１００  固定端末
１１０  電源
１２０  ユーザインタフェース
１３０  判定部
１４０  履歴記憶部
１４５  メニューファイル
１５０  切替部
２００，３００  セッション制御装置
２１０  IPsecトンネル
４００  PDG(Packet Data Gateway)
【図１】
2012044624.tif 000005
【図２】
2012044624.tif 000006
【図３】
2012044624.tif 000007
【図４】
2012044624.tif 000008
【図５】
2012044624.tif 000009
【図６】
2012044624.tif 000010
【図７】
2012044624.tif 000011
【図８】
2012044624.tif 000012